(57)【特許請求の範囲】
【請求項１】
細断する書類を供給する給紙部、及び前記給紙部により供給された書類を細かく細断する細断部を含む文書細断機の自動給紙装置であって、
前記細断部に対し下向きに傾斜し、細断する書類が積載される書類積載台と、
前記書類積載台の前端に設けられ、細断する書類を保持する保持突起と、
前記書類積載台上に、上向きに軸回転自在に備えられるリフティングボードと、
前記リフティングボードの下部に位置し、前記書類積載台上への細断する書類の供給有無を感知する給紙感知センサーと、
前記リフティングボードの上部に位置し、前記給紙感知センサーによる書類感知時に駆動して、前記細断する書類を細断部側に運搬する給紙ローラーと、
前記リフティングボードを弾支して、前記書類積載台に載せられた細断する書類を上部の給紙ローラーに当接させる圧力スプリングと、
前記書類積載台の上部に離隔して設けられ、ステープルされた文書のステープルされた部分の引っ掛かり状態により上層部の紙が脱落されるようにする引っ掛かり台と、を含み、
前記引っ掛かり台は、前記リフティングボードの両側端に上下回転自在にヒンジ結合され、後側が持ち上げられる時に軸回転しながら、前端が前記給紙ローラーの前方で前記リフティングボードの上面に接して、書類の流入通路を遮断することを特徴とする自動給紙装置。
【請求項２】
前記給紙感知センサーは、接触式感知センサーまたは光感知センサーであることを特徴とする、請求項１に記載の自動給紙装置。
【請求項３】
前記細断部は、前記給紙ローラーにより供給された書類を細断する複数の回転カッターと、所定の連結手段により前記回転カッターと連結され、回転動力を伝達する駆動モーターとを含むことを特徴とする、請求項１に記載の自動給紙装置。
【請求項４】
前記駆動モーターは、所定の連結手段により前記給紙ローラーと連結されることを特徴とする、請求項３に記載の自動給紙装置。
【請求項５】
前記連結手段による動力伝達は、ベルト、チェーン、または歯車駆動方式からなることを特徴とする、請求項３または４に記載の自動給紙装置。
【請求項６】
前記回転カッターの上部には、前記細断する書類を回転カッターの間に案内するためのガイド部が備えられることを特徴とする、請求項３に記載の自動給紙装置。
【請求項７】
前記引っ掛かり台の持ち上げまたは引き下げ状態を感知し、前記駆動モーターの起動を制御する所定の制御手段をさらに備えることを特徴とする、請求項４に記載の自動給紙装置。
【請求項８】
前記制御手段は、マイクロスイッチまたはセンサーであることを特徴とする、請求項７に記載の自動給紙装置。
【請求項９】
前記制御手段は、書類積載台またはリフティングボードの一側に設けられて、前記制御手段を操作するための手段として、前記制御手段に対応し引っ掛かり台の一側端に設けられる作動突起をさらに含むことを特徴とする、請求項７に記載の自動給紙装置。
【請求項１０】
前記制御手段は、前記引っ掛かり台が引き下げられた状態で、作動突起により押圧・接続されてオン状態を維持して、前記引っ掛かり台が持ち上げられた状態で、作動突起が離隔・解除されてオフ状態を維持し、前記オン状態において、駆動モーターは起動可能であり、前記オフ状態において、駆動モーターは起動不能であることを特徴とする、請求項９に記載の自動給紙装置。
【請求項１１】
前記リフティングボードの少なくとも一側には、前記保持突起との係止状態を維持し、前記リフティングボードと前記給紙ローラーとの間の所定間隔を維持する係止突起が突設されることを特徴とする、請求項１に記載の自動給紙装置。
【請求項１２】
前記引っ掛かり台は、前記給紙ローラーの上部を覆うローラーカバーと一体に連結されたことを特徴とする、請求項７乃至１１のいずれか1つの項に記載の自動給紙装置。
【発明の詳細な説明】
【技術分野】
【０００１】
本発明は、文書細断機に関するもので、より詳細には、細断する文書の容量や厚さに係わらず、ステープルされた文書の自動細断が可能な文書細断機の自動給紙装置に関するものである。
【背景技術】
【０００２】
周知のように、文書細断機は、秘密文件を迅速且つ安全に細断して無くす事務用設備である。最近、文書細断機は、手動給紙機能を基本的に備えて、これに自動給紙機能を追加した構成からなる。
【０００３】
自動給紙機能は、適正数量の文書を自動に給紙する機能で、一遍に多い量の文書を給紙部に載せても、一枚あるいは数枚ずつ、文書細断機が１回に細断できる分量だけ、数回に分けて自動に機械内部に投入する。
【０００４】
このような自動給紙機能は、使用者が毎回給紙部に細断する文書を投入することなく、１回の文書積載で、多い量の文書を細断できるようにすることにより、作業性と便利性を高める効果がある。
【０００５】
しかしながら、従来の自動給紙機能を備えた文書細断機は、ステープルされた書類がある場合、必ずステープルを除去してから細断しなければならなく、もしステープルを除去せずに細断する場合、特に、ステープルされた書類の厚さが、文書細断機が１回に細断できる分量を超える場合は、文書細断機による細断作業がそれ以上進まなくなる問題があった。
【０００６】
また、従来の自動給紙機能を備えた文書細断機は、紙の自動給紙数量を同時に数枚ずつ給紙できるようにするために、給紙ローラーに金属からなる針または鋭い突起を設けて給紙性能を高めているが、この場合、使用者の手がこのような針や鋭い突起にぶつかると、事故を起こしてしまう問題点があった。
【発明の開示】
【発明が解決しようとする課題】
【０００７】
本発明は、上述の従来の文書細断機の問題点を解決するために発明されたもので、ステープルされた文書がある場合、予めステープルを除去してから投入するか、ステープルの除去のために機械作動を止めることなく、ステープルの除去と細断作業を同時に行える文書細断機の自動給紙装置を提供することにその目的がある。
【０００８】
本発明の他の目的は、文書細断機内への使用者の手や物の流入を遮断して、機器作動を制御できる構成を備え、使用者の安全性を高めて、機器の損傷も防ぐことができる文書細断機の自動給紙装置を提供することにある。
【課題を解決するための手段】
【０００９】
上記のような目的を達成するための本発明は、細断する書類を供給する給紙部及び前記給紙部により供給された書類を細かく細断して廃棄する細断部を含む文書細断機の自動給紙装置であって、前記細断部に対し下向きに傾斜し、細断する書類が積載される書類積載台と、前記書類積載台の前端に設けられ、細断する書類を保持する保持突起と、前記書類積載台上に、上方に軸回転自在に備えられるリフティングボードと、前記リフティングボードの下部に位置し、前記書類積載台上への細断する書類の供給有無を感知する給紙感知センサーと、前記リフティングボードの上部に位置し、前記給紙感知センサーによる書類感知時に駆動して、前記細断する書類を細断部側に運搬する給紙ローラーと、前記リフティングボードを弾支して、前記書類積載台に載せられた細断する書類を上部の給紙ローラーに当接させる圧力スプリングと、前記書類積載台の傾斜面に沿って上部に離隔して設けられ、ステープルされた文書のステープルされた部分の引っ掛かり状態により上層部の紙が脱落されるようにする引っ掛かり台と、を含む構成からなる。
【００１０】
本発明において、給紙感知センサーは、接触式感知センサーまたは光感知センサーを利用することが好ましく、前記細断部は、前記給紙ローラーにより供給された書類を細断する複数の回転カッターと、所定の連結手段により前記回転カッターと連結され、回転動力を伝達する駆動モーターとを含む構成であり、前記駆動モーターは、所定の連結手段により前記給紙ローラーと連結されることが好ましく、前記連結手段による動力伝達は、ベルト、チェーン、または歯車駆動方式からなることが好ましい。
【００１１】
本発明によると、前記引っ掛かり台は、前記リフティングボードの両側端に上下回転自在にヒンジ結合され、後側が持ち上げられる時に軸回転しながら、前端が前記給紙ローラーの前方で前記リフティングボードの上面に接して、書類の流入通路を遮断するようになる。
【００１２】
また、本発明は、前記引っ掛かり台の持ち上げまたは引き下げ状態を感知し、前記駆動モーターの起動を制御する所定の制御手段をさらに備える自動給紙装置を提供して、前記制御手段は、マイクロスイッチまたはセンサーを利用することが好ましい。
【００１３】
また、本発明において、前記制御手段は、書類積載台またはリフティングボードの一側に設けられて、前記制御手段を操作するための手段として、前記制御手段に対応し引っ掛かり台の一側端に設けられる作動突起をさらに含むが、制御手段は、前記引っ掛かり台が引き下げられた状態で、作動突起により押圧・接続されてオン状態を維持して、前記引っ掛かり台が持ち上げられた状態で、作動突起が離隔・解除されてオフ状態を維持し、前記オン状態において、駆動モーターは起動可能であり、前記オフ状態において、駆動モーターは起動不能の状態にあることが好ましい。
【００１４】
また、本発明は、前記引っ掛かり台が、給紙ローラーの上部を覆うローラーカバーと一体に連結された構造である自動給紙装置を提供する。
【発明の効果】
【００１５】
以上のような特徴から、本発明は、ステープルされた文書からステープルを予め除去することなく細断が可能であり、文書細断機の動作から使用者の安全を守ると同時に、機器損傷を防止することができる。
本発明の文書細断機を採用すると、使用者がステープルを除去してから書類を細断機に投入する必要がなく、ステープルされた文書がある場合でも、文書細断機は、作業を止めることなく細断を続けることができる。
また、文書細断機本体に損傷を与えることもなく、文書細断機の自動作業水準をさらに高めることができて、使用も非常に簡便になる。
【発明を実施するための最良の形態】
【００１６】
以下、添付の図面を参照し、本発明による文書細断機の自動給紙装置に対する好ましい実施例を説明する。
【００１７】
(第１の実施例)
図１は、本発明の第１の実施例である自動給紙装置を有する文書細断機の概略的な構成と、このような自動給紙装置による文書細断機の作動状態を示す。
【００１８】
文書細断機は、細断する書類を供給及び投入する自動給紙部Ａ(以下、‘自動給紙装置’という)と、このような自動給紙装置Ａにより供給された書類を細断して廃棄する細断部Ｂとから構成される。自動給紙装置Ａは、細断部Ｂの上部に位置し、細断する書類が載せられるように文書細断機の内部、即ち細断部Ｂに対し下向きに傾斜した書類積載台１上に設けられる。細断部Ｂに向かって傾斜した書類積載台１の前端には保持突起４が設けられ、前記書類積載台１上に載せられる、細断する書類Ｐ１、Ｐ２を保持するようになる。
【００１９】
自動給紙装置Ａを構成する要素として、前記書類積載台１には、一軸２ａ(回転軸)を中心に、上方に回転可能なリフティングボード２が備えられる。このリフティングボード２は、圧力スプリング３により弾支されて、前記書類積載台１上に載せられた細断する書類Ｐ１、Ｐ２を上部の給紙ローラー６に向かって押し上げる機能を提供する。図示してはいないが、圧力スプリング３は、リフティングボード２の上部に連結され、給紙ローラー６に向かって引っ張るような機能を提供するように構成することもできる。
【００２０】
また、リフティングボード２の一側には、細断する書類の供給有無を感知する給紙感知センサー５が備えられる。給紙感知センサー５は、書類積載台１を通じてリフティングボード２上に細断する書類が載せられる場合、リフティングボード２の下降または細断する書類Ｐ１、Ｐ２の投入を直接感知して、これにより給紙ローラー６を駆動させる。
【００２１】
給紙感知センサー５としては、書類Ｐ１、Ｐ２の投入を感知するために、紙と接触時、これを感知する接触式感知センサーを使用してもよく、透光または遮光状態の感知を通じて、細断する書類Ｐ１、Ｐ２の供給有無を感知する光感知センサーを使用してもよい。
【００２２】
給紙ローラー６の上部は、ローラーカバー７が覆われた状態として提供されて、ローラーカバー７は、細断機本体(図示せず)に固定された状態で提供される。
【００２３】
書類積載台１の前方下部には、前記細断部Ｂを構成する要素として、供給された書類を細断するための複数の回転カッター８と、これらの書類を回転カッター８の間に案内するためのガイド部８ａが備えられる。前記回転カッター８は、ベルト９ａ(連結ベルト)を介して連結される駆動モーター９の作動により回転でき、駆動モーター９は、前記リフティングボード２の下降及び細断する書類Ｐ１、Ｐ２の投入を感知する給紙感知センサー５により駆動できる。
【００２４】
本発明において、連結ベルト９ａによる動力伝達は、チェーンまたは歯車駆動方式で代替することができ、これを通じて、前記連結ベルト９ａと同様に駆動モーター９の動力を回転カッター８に伝達することができる。
【００２５】
一方、図示してはいないが、駆動モーター９は、ベルトやチェーンまたは歯車などを通じて、前記給紙ローラー６とも連結された構造として提供されることが好ましい。
【００２６】
また、本発明において、文書細断機は、書類積載台１上に載せられた細断する書類のうち、ステープルされた文書Ｐ２がある場合、ステープルされた状態を解除するための手段として引っ掛かり台１０を備える。引っ掛かり台１０は、文書の投入ができるように、書類積載台１の傾斜面に沿って、上方に一定間隔離隔された状態で設けられ、引っ掛かり台１０の上端は、細断過程において、ステープルされた文書Ｐ２のステープル部分が引っ掛かるようにする機能を提供する。
【００２７】
以下、上述の構成の自動給紙装置Ａを有する文書細断機により紙を細断する過程を説明する。
【００２８】
一束の紙、即ち、細断する書類Ｐ１、Ｐ２を書類積載台１に載せると、給紙感知センサー５は、細断する書類の投入を感知し、直ちに駆動モーター９を起動させる。駆動モーター９が起動すると、回転カッター８と給紙ローラー６の駆動が始まり、文書細断機の細断作業のための準備状態がなされる。
【００２９】
細断する書類Ｐ１、Ｐ２は、書類積載台１に載せられた状態で、保持突起４に保持される。圧力スプリング３は、リフティングボード２に対し上方に加圧して、リフティングボード２は、両側の回転軸２ａを中心に、上方に押し上げられ、細断する書類を給紙ローラー６まで押し上げる。
【００３０】
リフティングボード２により押し上げられた細断する書類のうち、最上層の書類は、給紙ローラー６に密着される。給紙ローラー６の駆動により最上層の紙が保持突起４を越えて細断部Ｂ側に排出されると、圧力スプリング３の弾性により、次の紙が最上層となって前記給紙ローラー６に密着され、順に排出がなされる。給紙ローラー６により保持突起４を越えて排出される書類Ｐ１は、ガイド８ａを通じて回転カッター８の間に投入され、細断作業が進行される。
【００３１】
本発明によると、前記細断する書類の中にステープルされた文書Ｐ２がある場合、それぞれの細断する紙をステープルから脱落させて細断することができるが、この場合、前記ステープルされた文書Ｐ２は、ステープルされた部分が文書細断機の後方に位置するようにして書類積載台１上に載せることが好ましい。
【００３２】
書類積載台１にステープルされた文書Ｐ２を載せると同時に、給紙感知センサー５が細断する書類の投入を感知して駆動モーター９を起動させて、それと同時に回転カッター８と給紙ローラー６が駆動する。
【００３３】
給紙ローラー６は、ステープルされた文書Ｐ２の一枚または数枚の紙を排出側に押し出すが、この際、前記ステープルされた文書Ｐ２は、上層部紙の前部が引っ張られ、それにより、前記上層部紙と下層部紙との間には、前記引っ張る力に対抗する抵抗力が作用する。
【００３４】
このような現象により、ステープルされた文書Ｐ２は後部、即ちステープルされた部分が、書類の排出方向である前方に曲がるようになる。これにより、曲がったステープルされた部分が引っ掛かり台１０に引っ掛かるようになるが、給紙ローラー６は、上層部の紙を押し出し続けて、回転カッター８に投入させるため、回転カッター８に投入された紙がステープルから脱落するようになる。また、ステープルされた文書Ｐ２の残りの紙も、上記のような方法により、ステープルされた部分が引っ掛かり台１０に引っ掛かった状態で回転カッター８に移送・投入されて、順に一枚あるいは数枚ずつ外され、回転カッター８により細断される。
【００３５】
(第２の実施例)
図２は、本発明による自動給紙装置の第２の実施例を示した概略図であり、図３は、本発明の第２の実施例による自動給紙装置の組み立て状態を示した斜視図であり、図４ａ〜図４ｄは、図２による自動給紙装置の使用状態を順に示した概略図である。
【００３６】
本発明によると、自動給紙装置は、図１に示された構成において、引っ掛かり台１１が回転可能な構造として提供される。このような引っ掛かり台１１の回転構造は、文書細断機の作動から使用者の手を保護し、且つ外部からの物の投入による機器損傷を防止するためのもので、図２に示された自動給紙装置において、引っ掛かり台１１は、リフティングボード１２の両側端に回転可能にヒンジされ、後方を持ち上げることができるような結合形態として提供される。
【００３７】
図２において、引っ掛かり台１１は、後方が持ち上げられると、回転軸(図示せず)を中心に回転しながら、引っ掛かり台１１の前端が、給紙ローラー１６とローラーカバー１７の前方で、前記リフティングボード１２の上面と接するような作動構造を有する。
【００３８】
このような構造で、図２の自動給紙装置は、引っ掛かり台１１の後方を持ち上げると、前記引っ掛かり台１１の前端がリフティングボード１２の上面に接するようになり、細断部の回転カッター(図示せず；図１参照)に向かう文書の流入通路が閉鎖されて、逆に、引っ掛かり台１１の後方が引き下げられ、元の位置に復帰すると、図１に示されたように、文書の流入通路が開放状態となる。
【００３９】
また、図２の自動給紙装置は、引っ掛かり台１１の持ち上げまたは引き下げ状態を感知し、駆動モーター(図示せず；図１参照)の起動を制御する制御手段を備える。このような制御手段は、マイクロスイッチやセンサーなどのような電気または電子制御装置を選択して使用できる。本発明は、このような制御手段の一例として、マイクロスイッチ１８を使用する場合について、図２及び図３を参照して説明する。
【００４０】
マイクロスイッチ１８は、書類積載台１’(図４参照)またはそれと隣接した部分に設けることができ、マイクロスイッチ１８を操作するための手段として、前記マイクロスイッチ１８の設置位置に対応する地点に作動突起１９を設置することができる。
【００４１】
本発明の場合、マイクロスイッチ１８は、図２に示したように、リフティングボード１２の一側端に設けることができ、作動突起１９は、前記マイクロスイッチ１８に対応し、引っ掛かり台１１の一側端に設けることができる。
【００４２】
マイクロスイッチ１８は、引っ掛かり台１１が引き下げられた状態で、作動突起１９により押圧・接続されて、‘オン’状態を維持し、引っ掛かり台１１が持ち上げられた状態で、作動突起１９が離隔・解除され、‘オフ’状態を維持するようになる。マイクロスイッチ１８がオンになると、駆動モーター(図示せず；図１参照)は起動可能な状態となり、マイクロスイッチ１８がオフになると、駆動モーターは起動不能な状態となる。
【００４３】
図示してはいないが、駆動モーターが起動する場合、給紙ローラー１６と回転カッター(図示せず;図１参照)は、図１で説明したように起動し、駆動モーターが停止する場合、給紙ローラー１６と回転カッターは、駆動を止める。
【００４４】
図２において、符号１２ａは回転軸であり、符号１２ｂは係止突起であり、符号１４は保持突起を示す。また、図３において、符号１１ａは引っ掛かりチップであり、符号１６ａはローラー軸を示す。
【００４５】
図２において、係止突起１２ｂは、圧力スプリング３(図１参照)により弾支されたリフティングボード１２が給紙ローラー１６に当接することを防止するためのもので、少なくともリフティングボード１２の一側が突出した形態からなり、保持突起１４との係止状態を維持し、前記リフティングボード１２と給紙ローラー１６との間に所定間隔が維持されるようにする。図示してはいないが、図１の場合も同様に、図２のような係止突起を設けることができる。
【００４６】
以下では、図４ａ〜図４ｄを参照し、本発明の自動給紙装置の使用及び作動状態を説明する。
【００４７】
まず、図４ａは、自動給紙装置の作動待機状態を示したもので、引っ掛かり台１１が引き下げられているため、細断部である回転カッター８(図１参照)に向かう文書の流入通路が開放される。
【００４８】
また、図４ａの作動待機状態では、作動突起１９がマイクロスイッチ１８をオンにして、文書細断機に電源が印加された場合は、細断する紙が投入されると、駆動モーター９(図１参照)の起動に伴い、給紙ローラー１６と回転カッター８も起動する。
【００４９】
図４ｂは、自動給紙装置の作動準備状態を示したもので、引っ掛かり台１１が上方に持ち上げられているため、細断部である回転カッター８に向かう文書の流入通路が閉鎖される。図４ｂのように、引っ掛かり台が持ち上げられた状態では、引っ掛かり台内部の異物や細断チップを除去するなどの作業が可能である。
【００５０】
また、図４ｂの作動準備状態では、作動突起がマイクロスイッチをオフにして、文書細断機に電源が印加された場合でも駆動モーター９が停止し、それに伴い、給紙ローラー１６と回転カッター８も停止する。
【００５１】
図４ｃは、図４ｂの状態で細断する書類Ｐを投入した場合であって、細断部の回転カッター８に向かう文書の流入通路が閉鎖されており、給紙ローラー１６への文書供給が遮断される。この状態では、細断する書類Ｐだけではなく、使用者の手や外部の物の進入も遮断される。
【００５２】
図４ｄは、図４ｃの状態から引っ掛かり台１１を引き下げた場合であって、細断部の回転カッター８に向かう文書の流入通路が図４ａのように開放され、細断する書類Ｐがね給紙ローラー１６により排出側に押し出され、細断部の回転カッター８に投入される。
【００５３】
一方、図示してはいないが、図４ｄの状態では、図１のようにステープルされた文書Ｐ２(図１参照)がある場合、給紙ローラー１６により上層部の紙の前部が引っ張られて、前記上層部の紙と下層部の紙との間には、前記引っ張る力に対抗する抵抗力が作用し、ステープルされた文書Ｐ２の後部、即ちステープルされた部分が書類の排出方向である前方に曲がるようになる。これにより、曲がったステープルされた部分が引っ掛かり台１１の引っ掛かりチップ１１ａ(図３参照)に引っ掛かるようになるが、給紙ローラー６は、上層部の紙を押し出し続けて、回転カッター８に投入させるため、回転カッター８に投入された紙がステープルから脱落し、文書の細断がなされる。
【００５４】
本発明は、図２〜図４のような作動構成を有する自動給紙装置を提供することにより、書類の給紙過程で使用者の手が給紙ローラーに巻き込まれて、回転カッターに投入されるような危険な状況を未然に防ぐことができる。特に、表面に金属からなる針や鋭い突起を有する給紙ローラーの場合は、さらなる危険を防ぐことができ、文書細断機の使用安全性をさらに向上できる。
【００５５】
また、本発明は、外部の物が落ちて給紙ローラーと回転カッターに入ることにより生じ得る文書細断機の機器損傷を防止することもできる。
【００５６】
(第３の実施例)
図５〜図７は、本発明の第３の実施例を示したもので、図５は、自動給紙装置の概略的な構成図であり、図６は、図５の自動給紙装置を有する文書細断機の斜視図、図７ａは、図５の自動給紙装置を有する図６の文書細断機の概略的な構成図であり、図７ｂ〜図７ｄは、図５の自動給紙装置を有する文書細断機の使用状態を順に示した概略図である。
【００５７】
本発明によると、自動給紙装置は、図２の構成から、引っ掛かり台３２とローラーカバー３２ａとが一体となっている構造を有する。より具体的に、図５の自動給紙装置を備えた本発明の文書細断機は、細断する書類が載せられるように細断機の内部に向かって下向きに傾斜した書類積載台２１を有し、細断機の内部に向かう書類積載台２１の前端には保持突起２４が設けられ、前記書類積載台２１上に載せられた、細断する書類Ｐ１(図７ｂ参照)を保持するようになる。
【００５８】
また、書類積載台２１には、一軸を中心に上方に回転可能なリフティングボード２２が備えられ、該リフティングボード２２は、圧力スプリング２３により弾支されて、前記書類積載台２１上に載せられた細断する書類Ｐ１を上部の給紙ローラー２６に向かって押し上げる機能を提供する。図示してはいないが、圧力スプリング２３は、リフティングボード２２の上部に連結され、給紙ローラー２６に向かって引っ張るような機能を提供するように構成することもできる。
【００５９】
本発明において、リフティングボード２２は、書類積載台２１上に細断する書類が載せられる前の状態では、図７ａに示したように、圧力スプリング２３により、上部に位置した給紙ローラー２６に近接した状態に維持されることが好ましい。
【００６０】
圧力スプリング２３の一側には、細断する書類の供給有無を感知する給紙感知センサー２５が備えられる。給紙感知センサー２５は、書類積載台２１を通じてリフティングボード２２上に細断する書類が載せられる場合、リフティングボード２２の下降または紙の投入を直接感知して、これにより給紙ローラー２６を駆動させる。
【００６１】
給紙ローラー２６の上部は、ローラーカバー３２ａが覆われた状態で提供されて、ローラーカバー３２ａは、本体ケース２７の端部に接した状態で、前記本体ケース２７の両側に連結された回転レバー３４により回転し、開閉されるように設けられる。
【００６２】
書類積載台２１の前方下部には、供給された書類を細断するための複数の回転カッター２９と、これらの書類を回転カッター２９の間に案内するためのガイド部２８が設けられる。前記回転カッター２９は、ベルト３１(連結ベルト)を介して連結される駆動モーター３０の作動により回転できる。
【００６３】
本発明において、文書細断機は、書類積載台２１上に載せられた細断する書類のうち、ステープルされた文書がある場合、ステープルされた状態を解除するための手段として引っ掛かり台３２が備えられる。
【００６４】
引っ掛かり台３２は、書類積載台２１の傾斜面に沿って、その上部に一定間隔離隔された状態で設けられ、好ましくは、ローラーカバー３２ａの端部と一体に連結された形態を有する。即ち、引っ掛かり台３２を持ち上げることにより、ローラーカバー３２ａが同時に回転して開放されるようにした構造である。引っ掛かり台３２と書類積載台２１との間の離隔された空間は、細断する書類が投入される投入口３３として提供される。投入口３３の入口部分である引っ掛かり台３２の上端(引っ掛かりチップ３２ｂ)は、上方に折り曲がった形態を有し、文書細断過程において、書類のステープルされた部分が引っ掛かるようにする機能を提供する。
【００６５】
図７ａにおいて、符号Ｃは、自動給紙装置であり、符号Ｄは、細断部を示す。
【００６６】
また、本発明の自動給紙装置Ｃは、引っ掛かり台３２の持ち上げまたは引き下げ状態を感知し、駆動モーター３０(図７ａ参照)の起動を制御する制御手段を備える。このような制御手段は、マイクロスイッチやセンサーなどのような電気または電子制御装置を選択して使用できる。本発明は、このような制御手段の一例としてマイクロスイッチ３６を使用する場合について、図５を参照して説明する。
【００６７】
マイクロスイッチ３６は、書類積載台２１(図７ａ参照)またはそれと隣接した部分に設けることができ、マイクロスイッチ３６を操作するための手段として、前記マイクロスイッチ３６の設置位置に対応する地点に作動突起３５を設けることができる。
【００６８】
本発明の場合、マイクロスイッチ３６は、図５に例示したように、リフティングボード２２の一側端に設けることができて、作動突起３５は、前記マイクロスイッチ３６に対応し、引っ掛かり台３２の一側端に設けることができる。
【００６９】
マイクロスイッチ３６は、ローラーカバー３２ａが回転しながら当接するようになる引っ掛かり台３２の引き下げ状態では、作動突起３５により押圧・接続されて‘オン’状態を維持し、ローラーカバー３２ａが回転しながら開放される引っ掛かり台３２の持ち上げ状態では、作動突起３５が離隔・解除されて‘オフ’状態を維持する。マイクロスイッチ３６のオン状態で駆動モーター３０は起動し、マイクロスイッチ３６のオフ状態で駆動モーター３０は停止する。
【００７０】
もちろん、駆動モーター３０が起動する場合、給紙ローラー２６と回転カッター２９とが共に起動し、駆動モーター３０が停止する場合、給紙ローラー２６と回転カッター２９とが共に駆動を止める。
【００７１】
図５〜図７ａにおいて、符号２２ａは、回転軸であり、符号２２ｂは、係止突起を示す。
【００７２】
係止突起２２ｂは、圧力スプリング２３により弾支されたリフティングボード２２が給紙ローラー２６と当接することを防止するためのもので、少なくともリフティングボード２２の一側が突出された形態からなり、保持突起２４との係止状態を維持することにより、前記リフティングボード２２と給紙ローラー２６との間に所定間隔が維持される。
【００７３】
以下、図７ａ〜７ｄの図面を参照し、本発明の文書細断機による文書細断作業の進行過程を説明する。
【００７４】
図７ａは、文書細断機に備えられた自動給紙装置の作動待機状態を示したもので、ローラーカバー３２ａが閉じられている引っ掛かり台３２の引き下げ状態を示している。
【００７５】
また、図７ａの作動待機状態では、作動突起３５(図５参照)がマイクロスイッチ３６(図５参照)をオンして、文書細断機に電源が印加された場合は、駆動モーター３０が起動できる状態にあり、それに伴って、給紙ローラー２６と回転カッター２９も起動可能な状態にあるようになる。
【００７６】
図７ｂ及び図７ｃによると、本発明の文書細断機は、ローラーカバー３２ａ及び引っ掛かり台３２が引き下げられた状態で、細断する書類Ｐ１が投入口３３を通じて投入される。これらの投入された書類Ｐ１は、前端が保持突起２４に保持された状態で書類積載台２１上に載せられるが、この時、書類の重量と書類投入時に加えられる外力により、リフティングボード２２が下降するようになる。これにより、給紙感知センサー２５が書類の投入を感知し、駆動モーター３０が起動するようになって、それに伴い、給紙ローラー２６と回転カッター２９も駆動するようになる。
【００７７】
一方、書類積載台２１上に積載された書類Ｐ１の最上層は、給紙ローラー２６に当接しており、給紙ローラー２６の回転は、細断する書類Ｐ１を最上層から順に細断機の内部へ排出させる。また、排出された書類は、ガイド部２８に沿って回転カッター２９に投入され、切れ切れに細断される。
【００７８】
図７ｃに示したように、ステープルされた文書Ｐ２がある場合は、前記ステープルされた文書Ｐ２の最上層が、給紙ローラー２６により排出方向に進んでいくことにより、後方のステープルされた部分が上方に上がって前方に曲がるようになるが、この時前方に曲がったステープルの部分は、引っ掛かり台３２の引っ掛かり部３２ｂに引っ掛かった状態となり、給紙ローラー２６により運搬された最上層の書類は、回転カッターにより引っ張られ、ステープルから外されるようになる。
【００７９】
このようにして、いくら厚くステープルされた文書であっても、最上層から順に分離して細断することができる。
【００８０】
図７ｄは、本発明の文書細断機により書類を細断する過程において、紙詰まり現象が発生した場合の使用状態であって、ローラーカバー３２ａが開放される引っ掛かり台３２の持ち上げ状態を示している。
【００８１】
このように細断機内部で書類Ｐ１の紙詰まり現象が発生した場合、ローラーカバー３２ａと引っ掛かり台３２とが回転レバー３４により上方に持ち上げられるため、内部構造物の如何なる抵抗も受けず、容易に紙の除去を行うことができる。
【００８２】
一方、図７ｄのように、引っ掛かり台３２の持ち上げ状態では、作動突起３５(図５参照)がマイクロスイッチ３６(図５参照)から離隔・解除されて、マイクロスイッチ３６をオフさせるため、文書細断機に電源が印加された場合でも、駆動モーター３０は、起動できない状態となり、それに伴って、給紙ローラー２６と回転カッター２９も起動不能な状態となる。したがって、前記紙詰まり状態の書類を安全に除去することができるようになる。
【００８３】
本発明は、ステープルされた文書のステープルされた部分が給紙ローラーから遠く離れている場合でも、近い位置にある場合でも、いずれの場合に対しても適用することができる。
【００８４】
本発明は、ステープルされた部分が給紙ローラーから近い位置にある場合は、細断する書類の厚さが薄い場合に適している。また、ステープルされた部分が給紙ローラーから遠く離れている場合は、細断する書類の枚数に係わらず、多様な厚さに対して適用できる。
【００８５】
本発明において、給紙ローラーにより文書細断機に１回に投入される書類の量は、細断作業が無理なく進行できる分量が適切であり、もし機械の適正負荷を超過して供給される場合は、文書細断機が自動に作業を止めるように構成することが好ましい。
【００８６】
上述のように、本発明の文書細断機を採用すると、使用者がステープルを除去してから書類を細断機に投入する必要がなく、ステープルされた文書がある場合でも、文書細断機は、作業を止めることなく細断を続けることができる。なお、文書細断機本体に損傷を与えることもなく、文書細断機の自動作業水準をさらに高めることができて、使用も非常に簡便になる。
【００８７】
以上、本発明を特定の実施例を挙げて説明したが、本発明は、これらの実施例に限定されるものではなく、本発明の属する技術分野で通常の知識を有する者が、特許請求の範囲に記載の本発明の技術的思想を外れない範囲内で多様に変更、実施することができる。
【図面の簡単な説明】
【００８８】
【図１】本発明による自動給紙装置の第１の実施例を示した概略図である。
【図２】本発明による自動給紙装置の第２の実施例を示した概略図である。
【図３】本発明の第２の実施例による自動給紙装置の組み立て状態を示した斜視図である。
【図４ａ】図２による自動給紙装置の使用状態を順に示した概略図である。
【図４ｂ】図２による自動給紙装置の使用状態を順に示した概略図である。
【図４ｃ】図２による自動給紙装置の使用状態を順に示した概略図である。
【図４ｄ】図２による自動給紙装置の使用状態を順に示した概略図である。
【図５】本発明による自動給紙装置の第３の実施例を示した概略図である。
【図６】本発明の第３の実施例による自動給紙装置の組み立て状態を示した斜視図である。
【図７ａ】図５による自動給紙装置の使用状態を順に示した概略図である。
【図７ｂ】図５による自動給紙装置の使用状態を順に示した概略図である。
【図７ｃ】図５による自動給紙装置の使用状態を順に示した概略図である。
【図７ｄ】図５による自動給紙装置の使用状態を順に示した概略図である。
【符号の説明】
【００８９】
Ａ、Ｃ    自動給紙装置
Ｂ、Ｄ    細断部
１、１’、２１    書類積載台
２、１２、２２    リフティングボード
２ａ、１２ａ、２２ａ    回転軸
３、２３    圧力スプリング
４、１４、２４    保持突起
５、２５    給紙感知センサー
６、１６、２６    給紙ローラー
７、１７、３２ａ    ローラーカバー
８、２９    回転カッター
８ａ、２８    ガイド部
９、３０    駆動モーター
９ａ、３１    連結ベルト
１０、１１、３２    引っ掛かり台
１１ａ、３２ｂ    引っ掛かりチップ
１２ｂ、２２ｂ    係止突起
１６ａ    ローラー軸
１８、３６    マイクロスイッチ
１９、３５    作動突起
２７    本体ケース
３４    回転レバー
【図１】
0004639222.tif 000002
【図２】
0004639222.tif 000003
【図３】
0004639222.tif 000004
【図４ａ】
0004639222.tif 000005
【図４ｂ】
0004639222.tif 000006
【図４ｃ】
0004639222.tif 000007
【図４ｄ】
0004639222.tif 000008
【図５】
0004639222.tif 000009
【図６】
0004639222.tif 000010
【図７ａ】
0004639222.tif 000011
【図７ｂ】
0004639222.tif 000012
【図７ｃ】
0004639222.tif 000013
【図７ｄ】
0004639222.tif 000014